(57)【要約】【課題】従来の不都合を改善するのに適した三角コーン用のベース部材を提供すること。【解決手段】本発明に係るベース部材１は、地面に載置される基台９１と、この基台９１上に設けられた錐形状部９２とを有する三角コーンＢ１に用いられる三角コーン用のベース部材１であって、中央に錐形状部９２が内挿される孔部１ａを有し、錐形状部９２を囲うとともに上下方向視において基台９１と重なる環状板部と、上記環状板部の外周部につながるとともに上下方向に延びて地面に載置され、基台９１の外周部全体を囲うように設けられた環状脚部と、を備える。【選択図】図２
2019007328.tif 000002
【特許請求の範囲】
【請求項１】
地面に載置される基台と、この基台上に設けられた錐形状部とを有する三角コーンに用いられる三角コーン用のベース部材であって、
中央に上記錐形状部が内挿される孔部を有し、上記錐形状部を囲うとともに上下方向視において上記基台と重なる環状板部と、
上記環状板部の外周部につながるとともに上下方向に延びて地面に載置され、上記基台の外周部全体を囲うように設けられた環状脚部と、を備える、三角コーン用ベース部材。
【請求項２】
上記環状板部のうち上下方向視において上記基台と重なる部分は、上記基台と間隔を隔てている、請求項１に記載の三角コーン用ベース部材。
【発明の詳細な説明】
【技術分野】
【０００１】
本発明は、三角コーン用ベース部材に関する。
【背景技術】
【０００２】
従来、歩道や車道などにおいて案内情報を表示するための表示装置として、たとえば三角コーンなどの支持体に取り付けて使用されるものが知られている（たとえば特許文献１を参照）。特許文献１に開示された表示具は、屈曲可能な上部において支持体の円錐形部に嵌合可能な開口を有し、かつ屈曲された状態で支持体に装着される情報担持板を備えている。情報担持板は、合成樹脂製の比較的軽量なシート材からなり、支持体の円錐形部を挟んで反対側に位置する２つの標示部を有する。これら標示部は、案内情報等を表示するものであり、各標示部の下端には固定孔が設けられている。支持体への表示装置の装着時には、上記固定孔に紐体を通すとともに支持体の円錐形部に回して、当該紐体の両端部を結束する。
【０００３】
しかしながら、上記のように紐体の結束による固定方法では、紐体を結束するという作業自体について作業者によるばらつきが生じやすく、結束後の紐体が緩むおそれもあった。そして、紐体の結束による固定では、比較的軽量な情報担持板は、風で煽られると向きが変わるなど位置ずれするおそれもある。情報担持板の位置がずれると、案内情報の表示が適切になされないといった不都合が生じ得た。
【先行技術文献】
【特許文献】
【０００４】
【特許文献１】実用新案登録第３１４５１４３号公報
【発明の概要】
【発明が解決しようとする課題】
【０００５】
本発明は、このような事情のもとで考え出されたものであって、起立する支持体に取り付けて使用する表示板ユニットにおいて、位置ずれ等の不都合を防止するのに適した表示板ユニットを提供することを主たる課題とする。
【課題を解決するための手段】
【０００６】
上記の課題を解決するため、本発明では、次の技術的手段を講じている。
【０００７】
本発明によって提供される表示板ユニットは、基台およびこの基台上に設けられた錐形状部を有する支持体に取り付けて使用する表示板ユニットであって、上記支持体には、上記錐形状部が内挿される孔部を有し、かつ上記基台を囲うようにしてベース部材が配置され、上記錐形状部を差し込むための差込孔を有する取付け部と、上記取付け部に取り付けられることにより起立するプレート本体を有し、下端が上記ベース部材または上記基台に係止される表示板と、を備える。
【０００８】
好ましい実施の形態においては、上記取付け部は、上記差込孔を有し、かつ上記錐形状部に対して略水平姿勢で外嵌される第１板部と、この第１板部の端部につながり、当該第１板部に対して所定の角度をなして屈曲する第２板部と、を含み、上記プレート本体は、上記第２板部の外側面に取り付けられる。
【０００９】
好ましい実施の形態においては、上記第２板部は、上記錐形状部のうち上記第２板部に最も近接する部位の傾斜方向と同じ方向に傾斜する。
【００１０】
好ましい実施の形態においては、上記ベース部材をさらに備え、上記表示板は、上記プレート本体の下端部に設けられた係止部を有し、上記ベース部材は、上記係止部を開口部から差し込んで係止させる被係止部を有する。
【００１１】
好ましい実施の形態においては、上記取付け部は、金属製の一枚の板材を折り曲げて形成されており、上記表示板における上記プレート本体は、プラスチックダンボール製のシート材により構成されており、上記表示板における上記係止部は金属製である。
【００１２】
好ましい実施の形態においては、２つの上記表示板を備えており、これら２つの上記表示板は、一方の上記表示板における上記プレート本体と他方の上記表示板における上記プレート本体とが上記錐形状部を挟んで互いに反対側に位置するように取り付けられる。
【００１３】
本発明のその他の特徴および利点は、添付図面を参照して以下に行う詳細な説明によって、より明らかとなろう。
【図面の簡単な説明】
【００１４】
【図１】本発明に係る表示板ユニットの一例を示し、支持体に取り付けた状態の斜視図である。
【図２】図１のＩＩ−ＩＩ線に沿う拡大断面図である。
【図３】図１に示す表示板ユニットを構成する取付け部の平面図である。
【図４】図３のＩＶ−ＩＶ線に沿う断面図である。
【図５】図１に示す表示板ユニットを構成する係止部材の平面図である。
【図６】図５のＶＩ−ＶＩ線に沿う断面図である。
【図７】表示板ユニットを支持体に取り付ける手順を説明するための図２と同様の断面図である。
【図８】表示板ユニットを支持体に取り付ける手順を説明するための図２と同様の断面図である。
【図９】表示板ユニットを支持体に取り付ける手順を説明するための図２と同様の断面図である。
【図１０】図１に示す表示板ユニットの変形例を示し、支持体に取り付けた状態の斜視図である。
【図１１】図１０のＸＩ−ＸＩ線に沿う拡大断面図である。
【図１２】本発明に係る表示板ユニットの他の例を示し、支持体に取り付けた状態の斜視図である。
【図１３】図１２のＸＩＩＩ−ＸＩＩＩ線に沿う拡大断面図である。
【図１４】本発明に係る表示板ユニットのさらに他の例を示し、支持体に取り付けた状態の斜視図である。
【図１５】図１４に示す表示板ユニットの正面図である。
【図１６】図１４のＸＶＩ−ＸＶＩ線に沿う部分拡大断面図である。
【発明を実施するための形態】
【００１５】
以下、本発明の好ましい実施の形態について、図面を参照して具体的に説明する。
【００１６】
図１、図２は、本発明に係る表示板ユニットの一例を示す。本実施形態の表示板ユニットＡ１は、起立する支持体Ｂ１に取り付けて使用されるものである。支持体Ｂ１としては、たとえば三角コーンが挙げられる。支持体Ｂ１は、地面に載置される基台９１と、この基台９１上に設けられた錐形状部９２を有する。図１、図２に表れているように、本実施形態において、錐形状部９２は、中空状の概略円錐形状とされている。
【００１７】
表示板ユニットＡ１は、ベース部材１と、取付け部２と、表示板３とを備える。詳細は後述するが、本実施形態において、表示板ユニットＡ１は、２つの取付け部２、および２つの表示板３を備える。
【００１８】
図１〜図４に表れているように、取付け部２は、板状部材であり、第１板部２１および第２板部２２を含んで構成される。第２板部２２は、第１板部２１の端部につながり、第１板部２１に対して所定の角度をなして屈曲している。第１板部２１の中央には、支持体Ｂ１の錐形状部９２を差し込むための差込孔２１１が形成されている。差込孔２１１は、第１板部２１の厚さ方向に貫通しており、円形状である。差込孔２１１の内径寸法は、錐形状部９２の上端寄り部分の外径寸法と略同一である。これにより、第１板部２１は、錐形状部９２に対して略水平姿勢で外嵌される。
【００１９】
図２によく表れているように、第２板部２２は、取付け部２が錐形状部９２へ装着された状態（第１板部２１が略水平姿勢をとるとき）において当該錐形状部９２のうち第２板部２２に最も近接する部位の傾斜方向と同じ方向に傾斜する。この第２板部２２は、後述の表示板３におけるプレート本体３１が取り付けられる部分である。このような構成の取付け部２は、たとえば鋼板などの金属製の一枚の板材を折り曲げて形成されたものである。
【００２０】
ベース部材１は、表示板ユニットＡ１の土台となる部分であり、平面視において概略矩形状を有する。図１、図２に示すように、ベース部材１の中央には、孔部１ａが形成されている。ベース部材１は、この孔部１ａに支持体Ｂ１の錐形状部９２が内挿されて、支持体Ｂ１の基台９１を囲うように配置される。詳細は後述するがこのベース部材１に表示板３の下端が係止される。ベース部材１は、たとえばゴム製であり、金型成型により一体形成されたものである。
【００２１】
本実施形態おいて、ベース部材１は、一対の表示板装着部１１を有する。一対の表示板装着部１１は、孔部１ａを挟んで水平方向に離間する位置に設けられている。図２によく表れているように、各表示板装着部１１は、開口部１１１と、被係止部１１２と、庇部１１３とを有する。開口部１１１は、後述する表示板３の係止部３２２を抜き差しするために形成された開口である。本実施形態では、開口部１１１は、表示板装着部１１の厚さ方向に貫通状に形成されており、平面視において、係止部３２２を上方から差し込み可能なサイズとされている。
【００２２】
被係止部１１２は、開口部１１１を通じて差し込まれた係止部３２２を係止させる部分であり、係止部３２２の形状に対応する凹状形状とされている。
【００２３】
庇部１１３は、開口部１１１における内側の端縁から外側に向けて延びるシート状とされており、弾性的に折り曲げ可能である。本実施形態では、係止部３２２が被係止部１１２に係止させられた状態において、係止部３２２と庇部１１３の先端縁との間には、僅かな隙間を有する。
【００２４】
表示板３は、プレート本体３１および係止部材３２を有する。プレート本体３１は、概略長矩形状の平板である。プレート本体３１の材質は特に限定されないが、たとえばプラスチックダンボール、合成樹脂、あるいは発泡樹脂からなるシート材、または金属製の板材により構成され、好ましくは、プラスチックダンボール製とされる。プレート本体３１は、その片方の面（内側面３１１）が取付け部２における第２板部２２の外側面２２１に対して接着剤や粘着シート等の適宜手段により取り付けられる。プレート本体３１は、第２板部２２（取付け部２）に取り付けられた状態において、支持体Ｂ１における錐形状部９２のうちプレート本体３１に最も近接する部位の傾斜方向と同じ方向に傾斜する。プレート本体３１の外側面３１２は、案内情報等が表示される表示面とされている。
【００２５】
係止部材３２は、プレート本体３１の下端に設けられている。係止部材３２は、本体固定部３２１および係止部３２２を有する。本体固定部３２１および係止部３２２は、一定幅を有し、互いが屈曲状につながる板体である（図５、図６参照）。本体固定部３２１は、プレート本体３１に固定される部分である。本体固定部３２１は、プレート本体３１の内側面３１１に対して、接着剤や粘着シート等の適宜手段により取り付けられる。本体固定部３２１は、プレート本体３１の下端における幅方向中央に取り付けられる。係止部３２２は、外側に屈曲するＬ字状とされている。係止部材３２は、たとえば鋼板などの金属製の一枚の板材を折り曲げて形成されたものである。
【００２６】
本実施形態において、上記構成の２つの表示板３については、一方の表示板３における上記プレート本体３１と他方の表示板３におけるプレート本体３１とが、支持体Ｂ１の錐形状部９２を挟んで互いに反対側に位置するように取り付けられる。そして、図２に表れているように、２つの表示板３は、錐形状部９２の垂直軸線Ｏｘを挟んで実質的に左右対称の位置関係となるように配置されている。なお、２つの取付け部２については、錐形状部９２の垂直軸線Ｏｘを挟んでほぼ左右対称の位置関係となっているが、上下方向視においてこれら取付け部２の第１板部２１どうしが互いに重なり合っている。
【００２７】
次に、本実施形態の表示板ユニットＡ１を支持体Ｂ１に取り付ける手順について説明する。
【００２８】
本実施形態の表示板ユニットＡ１は、使用前においては、保管場所の省スペース化等の便宜のため、各部が分離された状態で取り扱われる。即ち、表示板ユニットＡ１は、たとえば保管時や運搬時には、ベース部材１、取付け部２、および表示板３が互いに分離された状態で扱われ、表示板３については、プレート本体３１と係止部材３２も互いに分離された状態で扱われる。
【００２９】
図７に示すように、まず、ベース部材１を、支持体Ｂ１に対して当該支持体Ｂ１の基台９１を囲うように配置し、２つの取付け部２を支持体Ｂ１の錐形状部９２に外嵌させる。
【００３０】
次に、図８に示すように、プレート本体３１を位置合わせし、取付け部２に取り付け固定する。プレート本体３１の位置合わせは、プレート本体３１の下端をベース部材１の上面に当接させつつ、取付け部２の第２板部２２の外側面２２１にプレート本体３１の内側面３１１を当接させることにより行う。取付け部２へのプレート本体３１の取り付け手法は特に限定されるものでないが、プレート本体３１がプラスチックダンボール製の場合、接着剤や粘着シートが適当である。
【００３１】
次に、係止部材３２を、プレート本体３１に取り付け固定する。ここで、図９に示すように、係止部材３２をベース部材１の裏面側から貫通状の開口部１１１に差し込み、係止部材３２の係止部３２２をベース部材１の被係止部１１２に当接させつつ、プレート本体３１の下端に係止部材３２の本体固定部３２１を取り付ける。このようにして、表示板ユニットＡ１が支持体Ｂ１に取り付けられる。
【００３２】
次に、本実施形態の作用について説明する。
【００３３】
本実施形態の表示板ユニットＡ１によれば、表示板３は、取付け部２を介して錐形状部９２（支持体Ｂ１）に支持されるとともに、表示板３の下端がベース部材１により係止される。このような構成によれば、表示板ユニットＡ１が風で煽られたとしても各表示板３が位置ずれすることは防止される。
【００３４】
表示板３は、プレート本体３１の下端部に設けられた係止部３２２を有する。また、ベース部材１は、係止部３２２を開口部１１１から差し込んで係止させる被係止部１１２を有する。このような構成によれば、プレート本体３１の下端（係止部３２２）がベース部材１の被係止部１１２によって、より適確に係止される。また、表示板ユニットＡ１を使用しないときには、プレート本体３１を少し内側に撓ませながら、取付け部２および表示板３を引き上げることにより、取付け部２および表示板３を支持体Ｂ１から簡単に取り外すことができる。再び表示板ユニットＡ１を使用するときには、取付け部２（第１板部２１）を支持体Ｂ１（錐形状部９２）に外嵌させつつ、プレート本体３１を少し内側に撓ませながら、表示板３の係止部３２２をベース部材１の開口部１１１に差し込むことにより、簡単に表示板ユニットＡ１を支持体Ｂ１に取り付けることができる。
【００３５】
本実施形態において、表示板３におけるプレート本体３１は、プラスチックダンボール製のシート材により構成される。その一方、取付け部２は、金属製の一枚の板材を折り曲げて形成されており、表示板３における係止部材３２（係止部３２２）は金属製である。このような構成によれば、表示板３全体の軽量化を図りつつ、支持体Ｂ１への取り付け状態やベース部材１に対する係止状態を安定させることができる。
【００３６】
表示板ユニットＡ１は、２つの表示板３を備えており、これら表示板３におけるそれぞれのプレート本体３１は、支持体Ｂ１の錐形状部９２を挟んで互いに反対側に位置する。このような構成によれば、表示板ユニットＡ１の設置箇所周辺において、広い範囲から表示板３（プレート本体３１）に表示された案内情報を視認することが可能である。
【００３７】
なお、表示板ユニットＡ１は２つの表示板３を具備するが、表示板３が１つでよい場合には、１つの表示板３のみを備える構成としてもよい。図１０、図１１に示した表示板ユニットＡ１’においては、１つの取付け部２および１つの表示板３を備えており、かかる点が上記の表示板ユニットＡ１と異なっている。表示板ユニットＡ１’においても、上記した表示板ユニットＡ１と同様の作用を奏することができる。
【００３８】
図１２〜図１５は、本発明に係る表示板ユニットの他の例を示している。これらの図においては、上記実施形態と同一または類似の要素には、同一の符号を付しており、適宜説明を省略する。
【００３９】
図１２、図１３に示す表示板ユニットＡ２は、ベース部材１と、取付け部２と、２つの表示板３とを備える。本実施形態においては、上記実施形態の表示板ユニットＡ１と比べて取付け部２の構成が異なるが、取付け部２以外の他の要素については、上記実施形態の表示板ユニットＡ１と実質的に同一である。
【００４０】
本実施形態において、取付け部２は、第１板部２１および２つの第２板部２２を含んで構成される。２つの第２板部２２は、第１板部２１において差込孔２１１を間に挟んだ両端部にそれぞれつながり、第１板部２１に対して所定の角度をなして屈曲している。２つの第２板部２２は、下方に向かうにつれて互いに遠ざかるように傾斜している。これら第２板部２２には、２つの表示板３におけるプレート本体３１がそれぞれ取り付けられる。本実施形態の表示板ユニットＡ２においても、上記した表示板ユニットＡ１と同様の作用を奏することができる。
【００４１】
図１４、図１５に示す表示板ユニットＡ３は、取付け部２と、１つの表示板３とを備える。本実施形態においては、上記実施形態の表示板ユニットＡ１と比べてベース部材１を備えておらず、かかる点において上記の表示板ユニットＡ１と大きく異なっており、さらに種々の変更がなされている。
【００４２】
図１４、図１５に表れているように、表示板ユニットＡ３の使用に際し、支持体Ｂ１には、基台９１を囲うようにしてベース部材１’が配置される。このベース部材１’は、支持体Ｂ１の転倒防止の目的で当該支持体Ｂ１と組み合わせて用いられる汎用品である。ベース部材１’は、孔部１ａを有する一方、上記実施形態で示した表示板装着部１１を有さない。
【００４３】
本実施形態において、取付け部２は、第１板部２１および２つの第２板部２２を含んで構成される。２つの第２板部２２は、第１板部２１において差込孔２１１を間に挟んだ両端部にそれぞれつながり、第１板部２１に対して所定の角度をなして屈曲している。２つの第２板部２２は、下方に向かうにつれて互いに遠ざかるように傾斜している。図１５に表れているように、２つの第２板部２２については、錐形状部９２の垂直軸線Ｏｘを挟んでほぼ左右対称の位置関係となっている。このような構成の取付け部２は、たとえば鋼板などの金属製の一枚の板材を折り曲げて形成されたものである。
【００４４】
表示板３は、一対のプレート本体３１と、係止部材３２とを有する。各プレート本体３１は、概略長矩形状の平板であり、使用状態において外側に少し膨らむように湾曲している。これらプレート本体３１は、一連の平板材が頂部で屈曲されることにより対をなしている。プレート本体３１の材質は特に限定されないが、たとえばプラスチックダンボール、合成樹脂、あるいは発泡樹脂からなるシート材、または金属製の板材により構成され、好ましくは、プラスチックダンボール製とされる。一対のプレート本体３１は、取付け部２における２つの第２板部２２にそれぞれ取り付けられる。
【００４５】
係止部材３２は、プレート本体３１の下端に設けられている。図１６に示すように、係止部材３２は、本体固定部３２１および係止部３２２を有する。本体固定部３２１および係止部３２２は、一定幅を有し、互いが屈曲状につながる板体である。本体固定部３２１は、プレート本体３１に固定される部分である。本体固定部３２１は、プレート本体３１に対して、たとえばボルト３３１およびナット３３２を締結することにより取り付けられる。
【００４６】
本実施形態において、係止部材３２は、各プレート本体３１の下端における幅方向両端の２箇所に取り付けられている。係止部３２２は、内側に屈曲している。図１６に示すように、係止部３２２は、支持体Ｂ１の下端（基台９１）に係止される。係止部材３２は、たとえば鋼板などの金属製の一枚の板材を折り曲げて形成されたものである。
【００４７】
本実施形態において、一対のプレート本体３１については、支持体Ｂ１の錐形状部９２を挟んで互いに反対側に位置する。そして、図１５に表れているように、一対のプレート本体３１は、錐形状部９２の垂直軸線Ｏｘを挟んで実質的に左右対称の位置関係となるように配置されている。
【００４８】
次に、本実施形態の作用について説明する。
【００４９】
本実施形態の表示板ユニットＡ３によれば、表示板３（一対のプレート本体３１）は、取付け部２を介して錐形状部９２（支持体Ｂ１）に支持されるとともに、各プレート本体３１の下端が支持体Ｂ１の基台９１により係止される。このような構成によれば、表示板ユニットＡ３が風で煽られたとしても表示板３が位置ずれすることは防止される。
【００５０】
本実施形態において、表示板３におけるプレート本体３１は、プラスチックダンボール製のシート材により構成される。その一方、取付け部２は、金属製の一枚の板材を折り曲げて形成されており、表示板３における係止部材３２（係止部３２２）は金属製である。このような構成によれば、表示板３全体の軽量化を図りつつ、支持体Ｂ１への取り付け状態や基台９１に対する係止状態を安定させることができる。
【００５１】
表示板ユニットＡ３において、表示板３は一対のプレート本体３１を有しており、これらプレート本体３１は、支持体Ｂ１の錐形状部９２を挟んで互いに反対側に位置する。このような構成によれば、表示板ユニットＡ３の設置箇所周辺において、広い範囲から表示板３（プレート本体３１）に表示された案内情報を視認することが可能である。
【００５２】
以上、本発明の具体的な実施形態を説明したが、本発明はこれに限定されるものではなく、発明の思想から逸脱しない範囲内で種々な変更が可能である。本発明に係る表示板ユニットの各部の具体的な構成は、種々に設計変更自在である。
【００５３】
上記実施形態において、プレート本体３１は、支持体Ｂ１における錐形状部９２のうちプレート本体３１に最も近接する部位の傾斜方向と同じ方向に傾斜していたが、これに限定されない。プレート本体３１については、たとえばほぼ垂直方向に沿って起立姿勢となるように構成としてもよく、この場合、取付け部２において、第１板部２１に対する第２板部２２の屈曲角度は、ほぼ直角となる。
【符号の説明】
【００５４】
Ａ１，Ａ１'，Ａ２，Ａ３    表示板ユニット
Ｂ１        支持体
１，１’    ベース部材
１ａ        孔部
１１        表示板装着部
１１１      開口部
１１２      被係止部
１１３      庇部
２          取付け部
２１        第１板部
２１１      差込孔
２２        第２板部
２２１      外側面
３          表示板
３１        プレート本体
３１１      内側面
３１２      外側面
３２        係止部材
３２１      本体固定部
３２２      係止部
３３１      ボルト
３３２      ナット
９１        基台
９２        錐形状部
【図１】
2019007328.tif 000003
【図２】
2019007328.tif 000004
【図３】
2019007328.tif 000005
【図４】
2019007328.tif 000006
【図５】
2019007328.tif 000007
【図６】
2019007328.tif 000008
【図７】
2019007328.tif 000009
【図８】
2019007328.tif 000010
【図９】
2019007328.tif 000011
【図１０】
2019007328.tif 000012
【図１１】
2019007328.tif 000013
【図１２】
2019007328.tif 000014
【図１３】
2019007328.tif 000015
【図１４】
2019007328.tif 000016
【図１５】
2019007328.tif 000017
【図１６】
2019007328.tif 000018